(57)【要約】【課題】警報の見落としなどが人員への負担を低減した状態で防げるようにする。【解決手段】アラート送出部１０６は、制御システムまたは機器管理装置が検出したフィールド機器１３１に関連した異常に対応して発生した制御タグ情報で識別されるアラートと、対応データ生成部１０４が生成して対応データ生成部１０４に記憶した対応データからそのアラートに関連する機器タグを抽出し、機器タグ情報とともに当該アラート情報をネットワーク１５１に送出する。アラート確認部１２５は、アラート受付部１２１が受け付けたアラート情報に含まれている機器タグおよび機器ＩＤと、対象機器情報記憶部１２２に記憶されている機器タグおよび機器ＩＤとを比較し、一致した場合、受け付けたアラート情報を表示部１２６に表示する。【選択図】  図１
2016170569.tif 000002
【特許請求の範囲】
【請求項１】
制御対象機器が接続される制御システムで用いられる前記制御対象機器の接続先となっている入力点または出力点を識別する制御タグ情報と、機器管理装置における前記制御対象機器を識別する機器タグ情報とを組み合わせた対応データが記憶された対応データ記憶部と、
前記制御システムあるいは機器管理装置が検出した、制御対象機器の接続先となっている入出力点に対応して発生した前記制御タグ情報で識別されるアラート、あるいは制御対象機器に発生した異常に対応して発生した前記機器タグ情報で識別されるアラートを、前記対応データ記憶部が記憶している対応データにおいて前記制御タグあるいは前記機器タグと組み合わされた機器タグ情報とともにネットワークに送出するアラート送出部と、
前記ネットワークに収容され、前記制御対象機器が設置されている現場において前記制御対象機器に接続されて前記制御対象機器の設定を行うための設定装置と
を備え、
前記設定装置は、設定対象の制御対象機器を識別する機器タグ情報を備えるアラートの受け付けにより、受け付けたアラートを表示部に表示する
ことを特徴とするアラート通知システム。
【請求項２】
制御対象機器が接続される制御システムで用いられる前記制御対象機器の接続先となっている入力点または出力点を識別する制御タグ情報と、それらと制御ループを構成する機能ブロックの情報をともに保持する制御ループ構成タグ情報と、機器管理装置における前記制御対象機器を識別する機器タグ情報とを組み合わせた対応データが記憶された対応データ記憶部と、
前記制御システムが前記機能ブロックで検出した異常に対応して発生したアラートを、前記対応データ記憶部が記憶している対応データにおいて前記制御タグと組み合わされた機器タグ情報とともにネットワークに送出するアラート送出部と、
前記ネットワークに収容され、前記制御対象機器が設置されている現場において前記制御対象機器に接続されて前記制御対象機器の設定を行うための設定装置と
を備え、
前記設定装置は、設定対象の制御対象機器を識別する機器タグ情報を備えるアラートの受け付けにより、受け付けたアラートを表示部に表示する
ことを特徴とするアラート通知システム。
【請求項３】
制御対象機器が接続される制御システムで用いられる前記制御対象機器の接続先となっている入力点または出力点を識別する制御タグ情報と、機器管理装置における前記制御対象機器を識別する機器タグ情報とを組み合わせた対応データを記憶された対応データ記憶部と、
前記制御システムあるいは機器管理装置が検出した、制御対象機器の接続先となっている入出力点に発生した異常に対応して発生した前記制御タグ情報で識別されるアラート、あるいは制御対象機器に発生した異常に対応して発生した前記機器タグ情報で識別されるアラートを、前記対応データ記憶部が記憶している対応データにおいて前記制御タグあるいは前記機器タグと組み合わされた機器タグ情報とともにネットワークに送出するアラート送出部と
を備え、
前記ネットワークは、前記制御対象機器が設置されている現場において前記制御対象機器に接続されて前記制御対象機器の設定を行うための設定装置を収容している
ことを特徴とするアラート通知装置。
【請求項４】
制御対象機器が接続される制御システムで用いられる前記制御対象機器の接続先となっている入力点または出力点を識別する制御タグ情報と、それらと制御ループを構成する機能ブロックの情報をともに保持する制御ループ構成タグ情報と、機器管理装置における前記制御対象機器を識別する機器タグ情報とを組み合わせた対応データが記憶された対応データ記憶部と、
前記制御システムが前記機能ブロックで検出した異常に対応して発生したアラートを、前記対応データ記憶部が記憶している対応データにおいて前記制御タグと組み合わされた機器タグ情報とともにネットワークに送出するアラート送出部と
を備え、
前記ネットワークは、前記制御対象機器が設置されている現場において前記制御対象機器に接続されて前記制御対象機器の設定を行うための設定装置を収容している
ことを特徴とするアラート通知装置。
【発明の詳細な説明】
【技術分野】
【０００１】
本発明は、制御システムや機器管理装置が発するアラートおよびフィールド機器などの制御対象の機器におけるアラートを通知するアラート通知システムおよびアラート通知装置に関する。
【背景技術】
【０００２】
例えば、建築物に付帯している各設備やプラントなどの監視制御には制御システムが用いられ、さらに機器管理装置が用いられている場合がある（特許文献１参照）。例えば、機器管理装置は、フィールドバスなどのネットワークにより接続している現場に設置されたプロセス機器や各種センサなどのフィールド機器との間で信号をやりとりし、従来では可搬型端末を現場でフィールド機器に直結して行っていた較正を上位からのパラメータ設定で行うことができ、また、フィールド機器が正常に動作している状態に関する診断結果を表示し、例えば、警報などの発令を行っている。
【０００３】
また、このような制御では、多数のフィールド機器を制御対象とするため、制御システムでは、ブロックに分割して各ブロックに制御を行うコントローラを配置し、複数のコントローラを用いて分散制御を行うようにしている。
【０００４】
例えば、図３に示すように、制御ステーション２０１には、ブロック毎に設けられたコントローラ２０２が接続し、複数のコントローラ２０２の各々に複数のＩ／Ｏモジュール２０３が接続し、また、各Ｉ／Ｏモジュール２０３に、複数のフィールド機器２０４が接続している。制御ステーション２０１には、ネットワーク２１１を介して複数のコントローラ２０２が接続し、各Ｉ／Ｏモジュール２０３には、信号線２１２により複数のフィールド機器２０４が接続している。
【０００５】
コントローラ２０２には、Ｉ／Ｏモジュール２０３を介してセンサなどのフィールド機器２０４からの各入力や、バルブポジショナなどのフィールド機器２０４からの開度出力の各々が個別に接続するＩ／Ｏデータポイントを備えている。
【０００６】
このような制御システムにおいて、故障や定期交換や定期点検など保守のために、フィールド機器が設置されている現場で、フィールド機器を交換し、またフィールド機器の設定を行う場合がある。このような場合、携帯型の設定装置が用いられている（特許文献２参照）。
【先行技術文献】
【特許文献】
【０００７】
【特許文献１】特開２０１２−０１４３８８号公報
【特許文献２】特開２００７−０８０１９４号公報
【発明の概要】
【発明が解決しようとする課題】
【０００８】
ところで、上述した携帯型の設定装置は、フィールド機器などの設定対象機器を確実に特定し、簡単に設定できるように構成されている。しかしながら、設定対象機器以外の状態を容易に確認することができない。このため、例えば、フィールド機器に対する新たな設定によって起きる可能性がある関連プロセス全体の挙動が確認できない。例えば、現場における設定変更を原因とし、プロセスアラートやデバイスアラートなどの警報が発生する場合がある。
【０００９】
上述した現場における携帯型の設定装置を用いた設定変更により警報が発生した場合、発生した警報は、まず、制御システムで監視しているオペレータや、機器管理装置で監視しているフィールドエンジニアにより確認される。次いで、警報の発生が、フィールド機器における設定変更が原因であることが推定・特定される。この結果、現場でフィールド機器の設定変更を実施している作業者に、現状を連絡し、対処の実施を通知することになる。
【００１０】
しかしながら、深夜など、最小限の人員で対応している場合、上述したような連絡などには人員に負担をかけることになり、また、上述した警報がしばらくの間見落とされる可能性もある。
【００１１】
本発明は、以上のような問題点を解消するためになされたものであり、警報の見落としなどが人員への負担を低減した状態で防げるようにすることを目的とする。
【課題を解決するための手段】
【００１２】
本発明に係るアラート通知システムは、制御対象機器が接続される制御システムで用いられる制御対象機器の接続先となっている入力点または出力点を識別する制御タグ情報と、機器管理装置における制御対象機器を識別する機器タグ情報とを組み合わせた対応データが記憶された対応データ記憶部と、制御システムあるいは機器管理装置が検出した、制御対象機器の接続先となっている入出力点に対応して発生した制御タグ情報で識別されるアラート、あるいは制御対象機器に発生した異常に対応して発生した機器タグ情報で識別されるアラートを、対応データ記憶部が記憶している対応データにおいて制御タグあるいは機器タグと組み合わされた機器タグ情報とともにネットワークに送出するアラート送出部と、ネットワークに収容され、制御対象機器が設置されている現場において制御対象機器に接続されて制御対象機器の設定を行うための設定装置とを備え、設定装置は、設定対象の制御対象機器を識別する機器タグ情報を備えるアラートの受け付けにより、受け付けたアラートを表示部に表示する。
【００１３】
本発明に係る他のアラート通知システムは、制御対象機器が接続される制御システムで用いられる制御対象機器の接続先となっている入力点または出力点を識別する制御タグ情報と、それらと制御ループを構成する機能ブロックの情報をともに保持する制御ループ構成タグ情報と、機器管理装置における制御対象機器を識別する機器タグ情報とを組み合わせた対応データが記憶された対応データ記憶部と、制御システムが機能ブロックで検出した異常に対応して発生したアラートを、対応データ記憶部が記憶している対応データにおいて制御タグと組み合わされた機器タグ情報とともにネットワークに送出するアラート送出部と、ネットワークに収容され、制御対象機器が設置されている現場において制御対象機器に接続されて制御対象機器の設定を行うための設定装置とを備え、設定装置は、設定対象の制御対象機器を識別する機器タグ情報を備えるアラートの受け付けにより、受け付けたアラートを表示部に表示する。
【００１４】
また、本発明に係るアラート通知装置は、制御対象機器が接続される制御システムで用いられる制御対象機器の接続先となっている入力点または出力点を識別する制御タグ情報と、機器管理装置における制御対象機器を識別する機器タグ情報とを組み合わせた対応データを記憶された対応データ記憶部と、制御システムあるいは機器管理装置が検出した、制御対象機器の接続先となっている入出力点に発生した異常に対応して発生した制御タグ情報で識別されるアラート、あるいは制御対象機器に発生した異常に対応して発生した機器タグ情報で識別されるアラートを、対応データ記憶部が記憶している対応データにおいて制御タグあるいは機器タグと組み合わされた機器タグ情報とともにネットワークに送出するアラート送出部とを備え、ネットワークは、制御対象機器が設置されている現場において制御対象機器に接続されて制御対象機器の設定を行うための設定装置を収容している。
【００１５】
また、本発明に係る他のアラート通知装置は、制御対象機器が接続される制御システムで用いられる制御対象機器の接続先となっている入力点または出力点を識別する制御タグ情報と、それらと制御ループを構成する機能ブロックの情報をともに保持する制御ループ構成タグ情報と、機器管理装置における制御対象機器を識別する機器タグ情報とを組み合わせた対応データが記憶された対応データ記憶部と、制御システムが機能ブロックで検出した異常に対応して発生したアラートを、対応データ記憶部が記憶している対応データにおいて制御タグと組み合わされた機器タグ情報とともにネットワークに送出するアラート送出部とを備え、ネットワークは、制御対象機器が設置されている現場において制御対象機器に接続されて制御対象機器の設定を行うための設定装置を収容している。
【発明の効果】
【００１６】
以上説明したことにより、本発明によれば、警報の見落としなどが人員への負担を低減した状態で防げるという優れた効果が得られる。
【図面の簡単な説明】
【００１７】
【図１】図１は、本発明の実施の形態におけるアラート通知システムの構成を示す構成図である。
【図２】図２は、表示部１２６の表示例を示す説明図である。
【図３】図３は、ブロックに分割して各ブロックに制御を行う制御システムの構成を示す構成図である。
【発明を実施するための形態】
【００１８】
以下、本発明の実施の形態について図を参照して説明する。図１は、本発明の実施の形態におけるアラート通知システムの構成を示す構成図である。このシステムは、アラート通知装置１０１，設定装置１２０，フィールド機器（制御対象機器）１３１を備える。
【００１９】
アラート通知装置１０１は、制御接続データ記憶部１０２、定義データ記憶部１０３、対応データ生成部１０４、対応データ記憶部１０５、アラート送出部１０６を備える。また、設定装置１２０は、フィールド機器１３１に接続されてフィールド機器１３１の設定を行う。設定装置１２０は、アラート受付部１２１、対象機器情報記憶部１２２、設定制御部１２３、入力部１２４、アラート確認部１２５、表示部１２６を備える。設定装置１２０は、アラート通知装置１０１が接続するネットワーク１５１に収容されている。ネットワーク１５１は、例えば無線ＬＡＮ（Local Area Network）であり、フィールド機器１３１が制御システムや機器管理装置と接続するネットワークとは異なる。
【００２０】
制御接続データ記憶部１０２は、制御システム（不図示）に接続されるフィールド機器１３１を制御システムにおいて識別する制御タグ情報の項目を含む接続状態を示す制御接続データを記憶する。例えば、制御システムにおいて用いられている以下の表１に例示する制御接続データが、制御接続データ記憶部１０２に記憶される。
【００２１】
【表１】
2016170569.tif 000003
【００２２】
定義データ記憶部１０３は、機器管理装置（不図示）におけるフィールド機器１３１を識別する機器タグ情報の項目を含むフィールド機器１３１を定義するための定義データを記憶する。例えば、機器管理装置で用いられている以下の表２に例示する定義データが、定義データ記憶部１０３に記憶されている。
【００２３】
【表２】
2016170569.tif 000004
【００２４】
対応データ生成部１０４は、制御接続データ記憶部１０２に記憶されている制御接続データと、定義データ記憶部１０３に記憶されている定義データとを組み合わせ、フィールド機器１３１の制御タグ情報に機器タグ情報を組み合わせた対応データを生成する。例えば、対応データ生成部１０４は、以下の表３に例示する対応データを生成する。また、生成した対応データは、対応データ記憶部１０５に記憶される。
【００２５】
【表３】
2016170569.tif 000005
【００２６】
アラート送出部１０６は、制御システムが検出したフィールド機器１３１に発生した異常に対応して発生した制御タグ情報で識別されるアラートを、対応データ生成部１０４が生成して対応データ生成部１０４に記憶した対応データにおいて制御タグと組み合わされた機器タグ情報とともにネットワーク１５１に送出する。制御タグ「ＦＩ００２」で特定される制御ループ０２３００２内のＡＩポイントでアラートの発生を検出すると、アラート送出部１０６は、上述した対応データを参照し、制御タグ「ＦＩ００２」と制御ループ０２３００２に含まれる制御タグＦＩ００２と組み合わされている機器タグ「Ｕ０２ＦＩ００２」、および機器ＩＤ「００３６０ａ０１００２」とともに、異常が発生したことを示すアラート情報をネットワーク１５１に送出する。
【００２７】
なお、アラートは、制御値やセットポイントの閾値として設定されている上限値，下限値を越えた状態や、値の変化が早すぎる状態などの制御に関わる異常を示すもの（プロセスアラート）、およびフィールド機器１３１自身が検出した自己診断結果や機器管理装置が検出したデバイス状態診断結果による異常を示すもの（デバイスアラート）がある。
【００２８】
アラート受付部１２１は、上述したようにネットワーク１５１に送出されたアラート情報を受け付ける。対象機器情報記憶部１２２は、設定のために設定装置１２０が接続しているフィールド機器１３１の機器タグ情報や機器ＩＤを記憶する。
【００２９】
設定制御部１２３は、例えば、入力部１２４より受け付けた設定変更指示などにより、接続しているフィールド機器１３１の設定を変更する。また、設定制御部１２３は、接続しているフィールド機器１３１より、機器タグおよび機器ＩＤを読み出して対象機器情報記憶部１２２に記憶する。
【００３０】
アラート確認部１２５は、アラート受付部１２１が受け付けたアラート情報に含まれている機器タグおよび機器ＩＤと、対象機器情報記憶部１２２に記憶されている機器タグおよび機器ＩＤとを比較する。また、アラート確認部１２５は、上記比較が一致した場合、受け付けたアラート情報を表示部１２６に表示する。ここで、機器タグおよび機器ＩＤの少なくとも一方が一致した場合、受け付けたアラート情報を表示部１２６に表示する。
【００３１】
このように、設定装置１２０は、設定対象のフィールド機器１３１を識別する機器タグ情報を備えるアラート情報の受け付けにより、図２に例示するように、受け付けたアラートを表示部１２６に表示する。この結果、現場において、フィールド機器１３１に対する設定変更などの作業中に、フィールド機器１３１を含む制御ループに関するアラートが、設定装置１２０を操作している作業者に、直ちに通知されるようになる。
【００３２】
この結果、例えば、フィールド機器１３１に対する新たな設定によって起きる可能性があるプロセスアラートやデバイスアラートなどの警報の発生が、直ちに確認可能となる。また、このアラートは、制御システムで監視しているオペレータや、機器管理装置で監視しているフィールドエンジニアにより確認された後で通知されるものではなく、例え上記オペレータやフィールドエンジニアが見落としていても、作業者は確認することができる。
【００３３】
ところで、対応データ記憶部１０５には、フィールド機器１３１が接続される制御システムで用いられるフィールド機器１３１の接続先となっている入力点または出力点を識別する制御タグ情報と、それらと制御ループを構成する機能ブロックの情報をともに保持する制御ループ構成タグ情報と、機器管理装置におけるフィールド機器１３１を識別する機器タグ情報とを組み合わせた対応データが記憶されているようにしてもよい。この場合、アラート送出部１０６は、制御システムが機能ブロックで検出した異常に対応して発生したアラートを、対応データ記憶部１０５が記憶している対応データにおいて制御タグと組み合わされた機器タグ情報とともにネットワーク１５１に送出すればよい
【００３４】
アラート確認部１２５は、アラート受付部１２１が受け付けたアラート情報に含まれている機器タグおよび機器ＩＤのいずれかが、対象機器情報記憶部１２２に記憶されている機器タグまたは機器ＩＤに一致すれば、受け付けたアラート情報を表示部１２６に表示する。従って、現在設定しているフィールド機器にアラートが発生していない場合であっても、設定変更により同じ制御ループ内の他のフィールド機器に発生したアラートが確認できるようになる。
【００３５】
また、事前に定義されたフィールド機器に関するアラートを常に表示対象とし、また、表示対象から除くようにしても良い。これにより、制御などにおいて重要なフィールド機器に関するアラートは常に表示したいが、メンテナンス中であることが分かっているフィールド機器のアラートは表示したくない場合に対応できる。また、通知される機器タグや機器ＩＤに関連するメンテナンス情報を、アラートとともに送出するようにしてもよい。
【００３６】
また、設定装置では、操作記録が保存され、フィールド機器への設定を元に戻すことができる。このようにすることで、アラートを確認した直後に、アラート発生状態を作り出した設定を容易にかつ確実に元に戻すことが可能となる。また、設定装置に、対象とするフィールド機器の動作をより安全な方向に設定する設定情報を用意しておき、アラートを確認した後、この設定情報を反映させるようにしてもよい。
【００３７】
以上に説明したように、本発明によれば、制御対象機器が属する制御ループの制御タグ情報に機器タグ情報を組み合わせた対応データを生成し、制御タグ情報で識別されるアラートを、対応データ生成部が生成した対応データにおいて同じ制御ループに属する機器タグと組み合わされた機器タグ情報とともにネットワークに送出するようにしたので、警報の見落としなどが、人員への負担を低減した状態で防げるようになる。
【００３８】
なお、本発明は以上に説明した実施の形態に限定されるものではなく、本発明の技術的思想内で、当分野において通常の知識を有する者により、多くの変形および組み合わせが実施可能であることは明白である。例えば、ネットワーク１５１は、無線ＬＡＮに限らず、フィールド機器１３１が設置されている現場に設けられている有線ＬＡＮであってもよい。また、プロセスアラート、デバイスアラートの判定や検出は、制御システムや機器管理装置のどこで行われるものであっても良い。
【符号の説明】
【００３９】
１０１…アラート通知システム、１０２…制御接続データ記憶部、１０３…定義データ記憶部、１０４…対応データ生成部、１０５…対応データ記憶部、１０６…アラート送出部、１２０…設定装置、１２１…アラート受付部、１２２…対象機器情報記憶部、１２３…設定制御部、１２４…入力部、１２５…アラート確認部、１２６…表示部、１３１…フィールド機器（制御対象機器）、１５１…ネットワーク。
【図１】
2016170569.tif 000006
【図２】
2016170569.tif 000007
【図３】
2016170569.tif 000008